(57)【要約】【課題】電力線側から漏洩電磁界ノイズが発生する場合に、発生した漏洩電磁界ノイズを効果的に低減するノイズ低減ケーブル及びノイズ低減通信装置を提供する。【解決手段】  ケーブル１０１と、ケーブル１０１に接続される電源プラグ１０３とを有するノイズ低減ケーブル１００Ａ、１００Ｂであって、電源プラグ１０３側にフィルタ１０２を設ける構成とすることで、電力線通信による漏洩電磁界ノイズを効果的に低減するノイズ低減ケーブルを実現した。【選択図】図１
2007104411.tif 000002
【特許請求の範囲】
【請求項１】
通信装置と電源コンセントと接続し、ノイズを低減させるノイズ低減ケーブルであって、
前記電源コンセントからの交流電力を前記通信装置に対して伝送自在なケーブルと、
前記ケーブルのいずれか一端に設けられ、前記電源コンセントに接続自在な電源プラグと、
前記電源コンセント側に設けられたフィルタとを備えたノイズ低減ケーブル。
【請求項２】
請求項１に記載のノイズ低減ケーブルであって、
前記フィルタは、前記電源プラグに設けられたノイズ低減ケーブル。
【請求項３】
請求項２に記載のノイズ低減ケーブルであって、
前記フィルタは、前記電源プラグに内蔵されたノイズ低減ケーブル。
【請求項４】
請求項１ないし３いずれか１項に記載のノイズ低減ケーブルであって、
前記フィルタは、少なくともコモンモードチョークコイルを有するノイズ低減ケーブル。
【請求項５】
請求項４に記載のノイズ低減ケーブルであって、
前記コモンモードチョークコイルは、１００Ω以下の特性インピーダンスを有するノイズ低減ケーブル。
【請求項６】
請求項５に記載のノイズ低減ケーブルであって、
前記コモンモードチョークコイルは、更に、遮断周波数が１００ＭＨｚ以上の開放インピーダンスを有するノイズ低減ケーブル。
【請求項７】
請求項１ないし６いずれか１項に記載のノイズ低減ケーブルであって、
前記ケーブルは、信号が重畳された交流電力を前記通信装置に対して伝送自在なノイズ低減ケーブル。
【請求項８】
請求項１ないし７いずれか１項に記載のノイズ低減ケーブルと、
前記ノイズ低減ケーブルの他端が接続された前記通信装置とを備えたノイズ低減通信装置。
【請求項９】
請求項８に記載のノイズ低減通信装置であって、
前記通信装置は、前記ノイズ低減ケーブルを介して電力線通信を行うノイズ低減通信装置。
【発明の詳細な説明】
【技術分野】
【０００１】
本発明は、電力線側から発生するノイズを低減させるノイズ低減ケーブル及びノイズ低減装置に係り、特に、電力線通信を行う場合に電力線からの漏洩電磁界ノイズを低減させるノイズ低減ケーブル及びノイズ低減装置に関する。
【背景技術】
【０００２】
従来、ノイズを低減させるノイズ低減ケーブルとしては、ＰＣ（パーソナルコンピュータ）モニタ用ケーブル、ＰＣ用インターフェースケーブル等の高速信号用ケーブルにおいて、一般に、フェライトコア等のフィルタをＡＣ電源ケーブルに装着することで、漏洩電磁界ノイズの対策が行われている。これらのノイズ対策は主に、機器内のノイズが機器の外部に漏洩することを防ぐために実施される。また、電源ライン上のノイズ対策としては、ＡＣ（交流、Ａｌｔｅｒｎａｔｉｎｇ  Ｃｕｒｒｅｎｔ）ラインにトロイダルコアを巻回して、コモンモードチョークコイルとして構成することで、コモンモードチョークコイルを、ＡＣ電流に重畳するノイズを除去するフィルタとして機能させることが行われている（例えば、特許文献１参照）。
【特許文献１】特開平１１―０１４６６７号公報
【発明の開示】
【発明が解決しようとする課題】
【０００３】
しかしながら、上述した従来のノイズ低減ケーブルでは、例えば、電力線通信を行う機器の場合、機器本体側の特性よりも、電力線側の特性によって漏洩電磁界成分が大きくなる傾向があるため、フィルタの装着位置を考慮せずに、フィルタをＡＣ電源ケーブルに装着すると、ノイズ抑制効果が十分に漏洩電磁界ノイズを低減することが出来ない課題がある。
【０００４】
本発明は上記の課題を鑑みてなされたものであって、電力線側から漏洩電磁界ノイズが発生する場合に、発生した漏洩電磁界ノイズを効果的に低減させるノイズ低減ケーブル及びノイズ低減通信装置を提供することを目的とする。
【課題を解決するための手段】
【０００５】
上記目的を達成するために、本発明の第１のノイズ低減ケーブルは、通信装置と電源コンセントと接続し、ノイズを低減させるノイズ低減ケーブルであって、電源コンセントからの交流電力を通信装置に対して伝送自在なケーブルと、ケーブルのいずれか一端に設けられ、電源コンセントに接続自在な電源プラグと、電源コンセント側に設けられたフィルタとを備えた構成としている。
【０００６】
この構成により、ノイズ低減ケーブルで、通信装置と電源コンセントと接続して、電源コンセントからの交流電力を通信装置に供給する場合に、電源コンセントからノイズが発生することがあっても、フィルタが電源コンセント側に設けられているので、発生した漏洩電磁界ノイズを効率良く低減させることが出来る。
【０００７】
また、本発明の第２のノイズ低減ケーブルは、フィルタは、電源プラグに設けられている構成としている。
【０００８】
この構成により、フィルタを電源コンセント側に配置することにより、フィルタを出来るだけ電力線に近付けることが出来るので、電源コンセントから発生する漏洩電磁界ノイズを、更に効率良く低減させることが出来る。
【０００９】
また、本発明の第３のノイズ低減ケーブルは、フィルタは、電源プラグに内蔵される構成としている。
【００１０】
この構成により、フィルタを電源プラグに内蔵することにより、フィルタを電力線の近傍に配置することが出来るので、電源コンセントから発生する漏洩電磁界ノイズを、更に効率良く低減させることが出来る。
【００１１】
また、本発明の第４のノイズ低減ケーブルは、フィルタは、少なくともコモンモードチョークコイルを有する構成としている。
【００１２】
この構成により、電源コンセントからノイズが発生することがあっても、フィルタが電源コンセント側に設けられたコモンモードチョークコイルが、発生した漏洩電磁界ノイズを効率良く低減させることが出来る。
【００１３】
また、本発明の第５のノイズ低減ケーブルは、コモンモードチョークコイルは、１００Ω以下の特性インピーダンスを有する構成としている。
【００１４】
この構成により、ノーマルモード信号である送信信号に影響を出来るだけ与えることなく、漏洩電磁界ノイズを低減させることが出来る。
【００１５】
また、本発明の第６のノイズ低減ケーブルは、コモンモードチョークコイルは、更に、遮断周波数が１００ＭＨｚ以上の開放インピーダンスを有する構成としている。
【００１６】
この構成により、漏洩インダクタンスと巻線間寄生容量の共振による影響を少なくすることが出来るので、ノーマルモード信号である送信信号に影響を出来るだけ与えることなく、漏洩電磁界ノイズを、更に低減させることが出来る。
【００１７】
また、本発明の第７のノイズ低減ケーブルは、ケーブルは、信号が重畳された交流電力を通信装置に対して伝送自在な構成としている。
【００１８】
この構成により、ノイズ低減ケーブルが、信号が重畳された交流電力を通信装置に、即ち、電力線通信を行う通信装置に接続された場合に、電力線から発生した漏洩電磁界ノイズを効率良く低減させることが出来る。
【００１９】
また、本発明の第１のノイズ低減通信装置は、ノイズ低減ケーブルと、ノイズ低減ケーブルの他端が接続された通信装置とを備えた構成としている。
【００２０】
この構成により、ノイズ低減ケーブルで、通信装置と電源コンセントと接続して、電源コンセントからの交流電力を通信装置に供給する場合に、電源コンセントからノイズが発生することがあっても、フィルタが電源コンセント側に設けられているので、発生した漏洩電磁界ノイズを効率良く低減させることが出来る。
【００２１】
また、本発明の第２のノイズ低減通信装置は、通信装置は、ノイズ低減ケーブルを介して電力線通信を行う構成としている。
【００２２】
この構成により、ノイズ低減ケーブルが電力線通信を行う通信装置に接続された場合に、電力線から発生した漏洩電磁界ノイズを効率良く低減させることが出来る。
【発明の効果】
【００２３】
以上のように本発明によれば、電力線通信による漏洩電磁界ノイズを効果的に低減するノイズ低減ケーブル及びノイズ低減通信装置を提供することが可能である。
【発明を実施するための最良の形態】
【００２４】
以下、本発明の実施形態におけるノイズ低減ケーブル及びノイズ低減通信装置について図面を用いて説明する。
【００２５】
図１は、本発明の実施形態におけるＰＬＣモデム１０の外観斜視図である。ここで、ＰＬＣ（Ｐｏｗｅｒ  Ｌｉｎｅ  Ｃｏｍｍｕｎｉｃａｔｉｏｎ）は電力線通信を表している。ＰＬＣモデム１０は、電力線通信を行うモデムである。ＰＬＣモデム１０は、図１に示すように、ノイズ低減ケーブル１００Ａと、モデム本体２００とを備えている。モデム本体２００は、筐体２０１を有しており、筐体２０１の背面には、モデム本体２００側の電源コネクタ２０２、及びイーサネット（登録商標）コネクタ２０３などの、インターフェースが設けられている。電源コネクタ２０２には、ノイズ低減ケーブル１００Ａが接続される。イーサネットコネクタ２０３には、ＬＡＮ（Ｌｏｃａｌ  Ａｒｅａ  Ｎｅｔｗｏｒｋ）ケーブル（図示せず）が接続される。
【００２６】
イーサネットコネクタ２０３は、ＬＡＮケーブルを介して、通信機能を有する各種の電気機器（図示せず）と接続自在である。電気機器としては、ＰＣ（パーソナルコンピュータ）、テレビ、ＤＶＤレコーダなどの他、冷蔵庫、エアコン、電子レンジ、ファクシミリ、電話機などの各種の家電機器や、コピー機、プリンタ、スキャナなどのＯＡ機器がある。
【００２７】
ノイズ低減ケーブル１００Ａは、モデム本体２００に交流電力を供給すると共に、電力線通信の伝送路として機能する、ＡＣ電源ケーブルである。また、ノイズ低減ケーブル１００Ａは、例えば平行線路で構成される、ケーブル１０１を有している。ケーブル１０１の一端には、ケーブル１０１側の電源コネクタ１０４が接続されている。一方、ケーブル１０１の他端には、電源プラグ１０３が接続されている。
【００２８】
ケーブル１０１側の電源コネクタ１０４は、モデム本体２００側の電源コネクタ２０２に挿抜（抜き差し）自在であって、電源コネクタ１０４に接続されている。一方、電源プラグ１０３は、電源コンセント（図示しない）に挿抜（抜き差し）自在であって、電源コンセントに接続されている。電源プラグ１０３は、単相交流電源用であって、図１に示すように、平板形状の栓刃部１０３ａ、１０３ｂを有しており、栓刃部１０３ａ、１０３ｂは、平行に隣り合っている。
【００２９】
なお、電源プラグ１０３の形状は一例であって、電源コンセントは、相数や、国毎の仕様によって、その形状は適宜変更可能である。例えば、電源コンセントが３相であれば、差し込み部を３つで構成すればよく、あるいは、電源コンセントの穴が丸形状であれば、差し込み部を丸ピンの形状で構成すればよい。
【００３０】
ノイズ低減ケーブル１００Ａは、フィルタ１０２を有している。フィルタ１０２は、漏洩電磁界ノイズを低減するためのフィルタであり、トロイダルコア、コモンモードチョークコイルなどによって構成される。フィルタ１０２は、図１に示すように、電源プラグ１０３側に設けられている。
【００３１】
なお、ノイズ低減ケーブル１００Ａが接続された通信装置、即ち、ノイズ低減通信装置の一例として、ＰＬＣモデム１０を示したが、特にモデムである必要はない。ノイズ低減通信装置は、例えば、モデムを内蔵した電気機器（テレビ、ＤＶＤレコーダ）であってもよい。
【００３２】
次に、フィルタ１０２をノイズ低減ケーブル１００Ａのどの位置に装着すると、ＰＬＣによる漏洩電磁界ノイズの低減を効果的に実現できるかを説明する。図２は、モデム本体２００側と電源プラグ１０３側それぞれにおける、コモンモード電流の周波数特性を示した図、図３は、モデム本体２００側と電源プラグ１０３側それぞれにおける、フィルタ１０２を装着した場合のコモンモード電流の周波数特性を示した図である。ここで図２、図３ともに、ノイズ低減ケーブル１００Ａの長さは８０ｃｍとして観測を行っている。
【００３３】
図２は、フィルタ１０２をケーブル１０１に装着しない場合における、コモンモード電流の周波数特性を示している。図２の実線に示すコモンモード電流Ｉｃｍ１は、電源コネクタ１０４（モデム本体２００）側の周波数特性である。一方、図２の破線に示すコモンモード電流Ｉｃｍ２は、電源プラグ１０３側の周波数特性である。この観測は、同信号、同時間に位置だけを変更して行われている。なお、ＰＬＣによる漏洩電磁界ノイズは、一般的に、コモンモード電流から発生（輻射）するものと考えられていることから、コモンモード電流は、漏洩電磁界ノイズと強い関係がある。
【００３４】
この観測結果から、電源プラグ１０３側におけるコモンモード電流Ｉｃｍ２が、電源コネクタ１０４側におけるコモンモード電流Ｉｃｍ１よりもおよそ５ｄＢ程高くなっていることがわかる。これは、ＰＬＣの場合には、モデム本体２００などの通信機器本体側で発生するノイズよりも、電源プラグ１０３側である電力線からのノイズが大きいことを示している。このことから、ノイズ対策は、モデム本体２００側で行うより、漏洩成分が多く発生する電力線側で行うことが効果的であるといえる。
【００３５】
次いで図３は、フィルタ１０２をケーブル１０１に装着した場合における、コモンモード電流の周波数特性を示している。図３の実線に示すコモンモード電流Ｉｃｍ１０は、フィルタ１０２が装着された電源コネクタ１０４（モデム本体２００）側の周波数特性である。図３の破線に示すコモンモード電流Ｉｃｍ２０は、フィルタ１０２が装着された電源プラグ１０３側の周波数特性である。
【００３６】
この観測結果から、フィルタ１０２をモデム本体２００側に装着した場合のコモンモード電流Ｉｃｍ１０は、フィルタ１０２を装着しない場合（図２のＩｃｍ１参照）からほとんど低減していないのに対し、フィルタ１０２を電源プラグ１０３側に装着した場合のコモンモード電流Ｉｃｍ２０は、フィルタ１０２を装着しない場合（図２のＩｃｍ２参照）から最大５ｄＢ程低減している。このことから、フィルタ１０２は、モデム本体２００側に装着するよりも、電源プラグ１０３側の装着した場合の方が、効果的に漏洩電磁界ノイズを低減させることが出来る。
【００３７】
特に、コモンモード電流は低減の度合いは、図３に示すように、高域側の方が大きいことから、漏洩電磁界ノイズの低減効果は、高域側で高い効果を得ることが出来る。このことから、フィルタ１０２を、出来るだけ電力線側に近づけて配置させることで、例えば２〜３０ＭＨｚや２〜８０ＭＨｚなどの、高帯域を含む周波数帯域を使用するＰＬＣに好適である。なお、本明細書で述べる「フィルタを電源コンセント側に設ける」とは、例えばフィルタ１０２を、少なくとも、ケーブル１０１の中央から電源コンセント側に設けることを意味する。
【００３８】
次に、フィルタ１０２の一例について図４、図５を用いて説明する。図４は、本発明の実施形態におけるフィルタ１０２としてトロイダルコア４００を用いた場合における、ノイズ低減ケーブル１００Ａの一部省略斜視図である。トロイダルコア４００は、図４のように、電源プラグ１０３が接続されている一端側に設けられ、トロイダルコア４００の中心に設けられた空洞部４０１に、ケーブル１０１を通している。トロイダルコア４００を構成するコアの材質としては、フェライトなどが好適である。このように構成することで、巻数１ターンのコモンモードチョークコイルを実現することが出来る。
【００３９】
また、図５は、本発明の実施形態におけるフィルタ１０２の他の変形例としてコモンモードチョークコイル５００を用いた場合における、ノイズ低減ケーブル１００Ｂの一部省略斜視図である。なお、図４と同一の要素については同一の符号を付して、その要素の説明は省略する。図５では、ノイズ低減ケーブル１００Ｂは、図１及び図４に示すノイズ低減ケーブル１００Ａと同様に、電源プラグ１０３、ケーブル１０１、及びフィルタ１０２を有しており、更に、導電部５０５が設けられた基板５０３を有している。基板５０３は、ケーブル１０１が２つに分離されたケーブル１０１Ａ、１０１Ｂで構成され、ケーブル１０１Ａ、１０１Ｂは、導電部５０５に接続されて、接続されている。また、図５のフィルタ１０２は、破線で示すコモンモードチョークコイル５００で構成され、トロイダルコア４００を有している。
【００４０】
コモンモード電流による漏洩電磁界ノイズの影響をより低減するために、トロイダルコア４００の外周には、第１のケーブル５０１及び第２のケーブル５０２が、複数回巻きつけられている。第１のケーブル５０１及び第２のケーブル５０２は隣接して配置されて一対となっており、トロイダルコア４００と合わせてコモンモードチョークコイル５００を形成している。また、第１のケーブル５０１及び第２のケーブル５０２の特性は等しい。なお、コモンモードチョークコイル５００の形状は、特に図５で示した形状に限る必要はなく、例えば、ＥＩ型やＥＥ型の分割コアを用いてもよい。この場合、ボビンなどを用いることにより、巻線を簡単に行うことが出来る。
【００４１】
また、導電部５０５は、接続端子５０６を有し、基板５０３に設けられた配線プリントパターンである。第１のケーブル５０１及び第２のケーブル５０２が有する、４つの先端５０４は、４つの各々の接続端子５０６に電気的に接続されている。また、導電部５０５において、それぞれ接続端子５０６とは反対側にある４つの他端には、ケーブル１０１ａ、１０１ｂがそれぞれ電気的に接続されている。このようにして、コモンモードチョークコイル５００は導電部５０５を介して電気的にノイズ低減ケーブル１００Ｂと接続されている。また、不図示ではあるが、基板５０３及びコモンモードチョークコイル５００は例えば高分子樹脂の筐体中に固定されている。
【００４２】
次に、本発明の実施形態におけるフィルタ１０２の実装方法について、図５、図６を用いて説明する。図５では、コモンモードチョークコイル５００およびトロイダルコア４００を有する基板５０３をＡＣケーブル１０１の途中に挿入している。基板５０３の位置はケーブル１０１の途中であれば何処でも挿入することは可能であるが、図３の結果より、電源プラグ１０３の近傍に挿入すると、効率よく漏洩電磁界ノイズの低減を行うことが可能である。
【００４３】
また、図６は本発明の実施形態における電源プラグ内蔵フィルタの概略図である。本実施形態では、電源プラグ１０３の内部において、トロイダルコア４００の外周の図中左側に、第１のケーブル６０１を複数回巻きつけており、トロイダルコア４００の図中右側に、第２のケーブル６０２を複数回に巻きつけている。第１、第２のケーブル６０１、６０２は一対となっており、トロイダルコア４００と合わせてコモンモードチョークコイル６００を構成している。また、第１、第２のケーブル６０１、６０２の特性は等しい。また、コモンモードチョークコイル６００の形状は、図６以外の形状でもよい。
【００４４】
また、２つの各々の栓刃部１０３ａ、１０３ｂは、それぞれねじ６０３で固定されており、２箇所ある第１、第２のケーブルの一端６０４は、それぞれ栓刃部１０３ａ、１０３ｂに電気的に接続されている。このようにして、コモンモードチョークコイル６００は電気的にケーブル１０１と接続されている。
【００４５】
次に、本発明の実施形態において使用されるコモンモードチョークコイル４００および６００の周波数利得特性に関して説明する。
ＰＬＣに用いる際のコモンモードチョークコイル４００および６００に要求される特性として、コモンモードノイズを十分に減衰させること、および送受信信号（ノーマルモード信号）に影響を与えないことが挙げられる。図７に示すとおり、従来の電源用コモンモードチョークコイル８００は送受信信号の影響を考慮していないため、高周波領域においては送受信信号まで減衰してしまっている。
【００４６】
ここで図７は、従来の電源用コモンモードチョークコイル８００のコモンモード信号およびノーマルモード信号の周波数利得特性図である。図７において、コモンモード信号の周波数利得特性を７０１、ノーマルモード信号の周波数利得特性を７０２で表している。ＰＬＣの周波数使用帯域は２ＭＨｚ〜３０ＭＨｚであり、図７の周波数特性を参照すると、コモンモードチョークコイル８００により送受信信号（ノーマルモード信号）が３０ＭＨｚ付近では約８ｄＢ減衰している。
【００４７】
また、図８Ａは一般的なコモンモードチョークコイルの等価回路図、図８Ｂは図８Ａの等価回路図を、さらにノーマルモード信号に対する動作に注目して表した等価回路図である。漏洩磁束８０３は、コモンモードチョークコイル８００を構成するコイル８０１および８０２の磁気結合が完全でないために生じる漏洩磁束であり、寄生容量８０４は、コイル８０１および８０２間の寄生容量である。これらの寄生成分は理想的なコモンモードチョークコイルでは考慮されていないが、実際のコモンモードチョークコイル８００は、図８に示すように、これらの寄生成分がノーマルモード信号に対して高域濾過フィルタとして作用するため、図７で示したように高域側での信号の減衰を生じてしまう。以下、これを寄生フィルタと称する。
【００４８】
一般にフィルタの特性を決定づける指標値として、遮断周波数と特性インピーダンス（または公称インピーダンスともいう。）が用いられ、通常のフィルタ設計は特性インピーダンスと負荷インピーダンスが等しいことを前提として特性が保証される。ここで図９に１２個の異なるＡＣコンセントの周波数−電力線インピーダンス特性をプロットした周波数−電力線インピーダンス特性を示す。図９から分かるように、電力線インピーダンスの分布は２ＭＨｚ〜３０ＭＨｚの帯域で数Ω〜約２ｋΩ程度（図中上下方向の矢印範囲内）に及んでおり、電力線通信においては、このような大きな負荷インピーダンス変化に対して、通信性能に影響しないような寄生フィルタ特性をもったコモンモードチョークコイルが要求される。
【００４９】
次に、図１０は、従来のコモンモードチョークコイル８００の特性を用い、接続される電力線インピーダンスをパラメータとして変化させた場合の寄生フィルタの周波数利得特性図である。図１０では、電力線インピーダンスが１０Ωのときの周波数利得特性を１００１、電力線インピーダンスが５０Ωのときの周波数利得特性を１００２、電力線インピーダンスが１００Ωのときの周波数利得特性を１００３、電力線インピーダンスが２ｋΩのときの周波数利得特性を１００４としている。
【００５０】
図１０から明らかなように、電力線インピーダンスが低い場合に寄生フィルタの利得の減衰が大きくなるため、伝送特性は悪化する。これは主に、寄生フィルタの特性インピーダンスが電力線インピーダンスに対して大きいことに起因する。理想としては、電力線インピーダンスに依存することなく、利得が「０ｄＢ」であることが望ましい。また、電力線インピーダンスが数ｋΩになると（図１０の１００４を参照のこと）、利得が「０ｄＢ」以上となる。この場合、不要漏洩電磁界が増加するなどの問題が生じる。
【００５１】
そこで、寄生フィルタの特性インピーダンスに対する利得を、電力線インピーダンスが１０Ωの場合、２ｋΩの場合について考察する。図１１は、使用周波数帯域である周波数が３０ＭＨｚかつ電力線インピーダンスが１０Ωに場合において、寄生フィルタの利得を縦軸に、特性インピーダンスを横軸にとり、遮断周波数毎にプロットした特性インピーダンス−利得特性図である。図１２は同様に、周波数が３０ＭＨｚかつ電力線インピーダンスが２ｋΩに場合おける、特性インピーダンス−利得特性図である。
【００５２】
図１１では、遮断周波数７５ＭＨｚのときの周波数利得特性を１１０１、遮断周波数１００ＭＨｚのときの周波数利得特性を１１０２、遮断周波数２００ＭＨｚのときの周波数利得特性を１１０３、遮断周波数３００ＭＨｚのときの周波数利得特性を１１０４としている。
【００５３】
また、図１２では、遮断周波数７５ＭＨｚのときの周波数利得特性を１２０１、遮断周波数１００ＭＨｚのときの周波数利得特性を１２０２、遮断周波数２００ＭＨｚのときの周波数利得特性を１２０３、遮断周波数３００ＭＨｚのときの周波数利得特性を１２０４としている。
【００５４】
図１１のとおり、従来のコモンモードチョークコイルの特性インピーダンスが約５００Ω程度であるから、特性インピーダンス１００Ω以下のとき従来比１０ｄＢ以上の改善が可能となる。また図１２から明らかなように、電力線インピーダンスが比較的高い場合は（つまり２ｋΩの場合は）、遮断周波数の影響が支配的であり、特性インピーダンスによる利得変化はほとんど生じない。
【００５５】
また、寄生フィルタの遮断周波数に対する利得を、電力線インピーダンスが１０Ωの場合、２ｋΩの場合について考察する。図１３は、使用周波数帯域である周波数３０ＭＨｚかつ電力線インピーダンスが１０Ωの場合における、寄生フィルタの遮断周波数−利得特性図、図１４は同様に、周波数３０ＭＨｚかつ電力線インピーダンスが２ｋΩの場合における、寄生フィルタの遮断周波数−利得特性図である。
【００５６】
図１３では、特性インピーダンスが１０Ωのときの周波数利得特性を１３０１、特性インピーダンスが１００Ωのときの周波数利得特性を１３０２、特性インピーダンスが２００Ωのときの周波数利得特性を１３０３、特性インピーダンスが５００Ωのときの周波数利得特性を１３０４としている。
【００５７】
図１４では、特性インピーダンスの値による利得への影響よりも、遮断周波数の値による利得への影響がはるかに大きいため、特性インピーダンス１０Ω、１００Ω、２００Ω、５００Ωのときの周波数利得特性は、ほぼ同様の特性となっている。
【００５８】
図１２を用いて同様に説明したが、図１３に示すとおり、電力線インピーダンスが比較的低い場合（つまり１０Ωの場合）、遮断周波数よりも特性インピーダンスの方が利得への影響が大きい。また図１４から明らかなように電力線インピーダンスが高い場合は（つまり２ｋΩの場合は）、遮断周波数が利得変化に対して支配的になり、遮断周波数が約１００ＭＨｚ以上で利得が１．５ｄＢ以下、１２５ＭＨｚ以上で１ｄＢ以下とすることが可能である。
【００５９】
以上の結果から、本発明の実施形態におけるコモンモードチョークコイル５００、６００においては、フィルタ１０２の特性インピーダンスおよび遮断周波数を選択し、電力線インピーダンスのばらつきの影響を抑制するようにしている。例えば図１５、図１６ではコモンモードチョークコイル５００、６００の特性インピーダンスを約７１Ω、遮断周波数を２１２ＭＨｚとしている。
【００６０】
図１５は本発明の実施形態におけるコモンモードチョークコイル５００、６００のノーマルモード信号の周波数利得特性図である。図１５において、電力線インピーダンスが１０Ωのときの周波数利得特性を１５０１、電力線インピーダンスが５０Ωのときの周波数利得特性を１５０２、電力線インピーダンスが１００Ωのときの周波数利得特性を１５０３、電力線インピーダンスが２ｋΩのときの周波数利得特性を１５０４としている。
【００６１】
図１５より、コモンモードチョークコイル５００、６００は電力線インピーダンスが低い状態であっても、図１０と比較してノーマルモード信号の減衰を低く抑えながらコモンモード（漏洩電磁界）ノイズを低減させることが可能であるといえる。
【００６２】
また、図１６は本発明の実施形態におけるコモンモードチョークコイル５００、６００のコモンモード信号およびノーマルモード信号の周波数利得特性図である。図１６において、コモンモード信号の周波数利得特性を１６０１、ノーマルモード信号の周波数利得特性を１６０２で表している。尚、電力線特性インピーダンスは５０Ωとしている。図１６から明らかなように、ノーマルモード信号への影響が図７と比較して大幅に低減されている。
【００６３】
また一般にコア材料に用いる磁性体は周波数特性をもつため、低周波時の漏洩磁束と寄生容量で特性インピーダンスと遮断周波数を決定すると、実際の使用帯域で大きな誤差を生じる場合があるが、この場合は通信帯域以上でのコア特性を勘案して設計することにより十分な効果を得ることが可能である。
【００６４】
以上のような本発明の実施形態のノイズ低減ケーブル及びノイズ低減通信装置によれば、ケーブル１０１と、ケーブル１０１に接続される電源プラグ１０３とを有するノイズ低減ケーブル１００Ａ、１００Ｂであって、電源プラグ１０３側にフィルタ１０２を設けることで、電力線通信による漏洩電磁界ノイズを効果的に低減することができる。
【産業上の利用可能性】
【００６５】
本発明は、電力線通信による漏洩電磁界ノイズを効果的に低減するノイズ低減ケーブル及びノイズ低減通信装置に有用である。
【図面の簡単な説明】
【００６６】
【図１】本発明の実施形態におけるＰＬＣモデムの外観斜視図
【図２】本発明の実施形態におけるＰＬＣ本体側と電源プラグ側それぞれにおける、コモンモード電流の周波数特性を示した図
【図３】フィルタを装着した場合のコモンモード電流の周波数特性を示した図
【図４】フィルタとしてトロイダルコアを用いた場合における、ノイズ低減ケーブルの一部省略斜視図
【図５】本発明の実施形態におけるフィルタの他の変形例としてコモンモードチョークコイルを用いた場合における、ノイズ低減ケーブルの一部省略斜視図
【図６】本発明の実施形態における電源プラグ内臓フィルタの概略図
【図７】従来のコモンモードチョークコイルのコモンモード信号およびノーマルモード信号の周波数利得特性図
【図８Ａ】従来のコモンモードチョークコイルの回路図
【図８Ｂ】従来のコモンモードチョークコイルの回路に対する等価回路図
【図９】従来の１２個の異なるＡＣコンセントの周波数インピーダンス特性図
【図１０】接続される電力線インピーダンスをパラメータとして変化させた場合の従来の寄生フィルタの周波数利得特性図
【図１１】電力線インピーダンスが１０Ωの場合の従来の寄生フィルタの特性インピーダンス利得特性図
【図１２】電力線インピーダンスが２ｋΩの場合の従来の寄生フィルタの特性インピーダンス利得特性図
【図１３】電力線インピーダンスが１０Ωの場合の従来の寄生フィルタの遮断周波数利得特性図
【図１４】電力線インピーダンスが２ｋΩの場合の従来の寄生フィルタの遮断周波数利得特性図
【図１５】本発明の実施形態におけるコモンモードチョークコイルのノーマルモード信号の周波数利得特性図
【図１６】本発明の実施形態におけるコモンモードチョークコイルのコモンモード信号およびノーマルモード信号の周波数利得特性図
【符号の説明】
【００６７】
１０  ＰＬＣモデム
１００Ａ、１００Ｂ  ノイズ低減ケーブル
１０１  ケーブル
１０１ａ、１０１ｂ  分離されたケーブル
１０２  フィルタ
１０３  電源プラグ
１０３ａ、１０３ｂ  栓刃部
１０４  電源コネクタ
２００  モデム本体
２０１  筐体
２０２  電源コネクタ
２０３  イーサネットコネクタ
４００  トロイダルコア
４０１  空洞部
５００  コモンモードチョークコイル
５０１  第１のケーブル
５０２  第２のケーブル
５０３  基板
５０４  ケーブルの先端
５０５  導電部
５０６  接続端子
６００  コモンモードチョークコイル
６０１  第１のケーブル
６０２  第２のケーブル
６０３  ねじ
６０４  ケーブルの一端
８００  コモンモードチョークコイル
８０１、８０２  コイル
８０３  漏洩磁束
８０４  寄生容量
【図１】
2007104411.tif 000003
【図２】
2007104411.tif 000004
【図３】
2007104411.tif 000005
【図４】
2007104411.tif 000006
【図５】
2007104411.tif 000007
【図６】
2007104411.tif 000008
【図７】
2007104411.tif 000009
【図８Ａ】
2007104411.tif 000010
【図８Ｂ】
2007104411.tif 000011
【図９】
2007104411.tif 000012
【図１０】
2007104411.tif 000013
【図１１】
2007104411.tif 000014
【図１２】
2007104411.tif 000015
【図１３】
2007104411.tif 000016
【図１４】
2007104411.tif 000017
【図１５】
2007104411.tif 000018
【図１６】
2007104411.tif 000019